(57)【特許請求の範囲】
【請求項１】
(i)レーザ光が照射されることで記録情報が記録される第１記録層及び第２記録層を備え、且つ前記第１記録層及び前記第２記録層の夫々が、当該記録装置の誤動作を防止するためのバッファーエリア及び前記記録情報を記録する際の前記レーザ光のパワーを較正するための較正エリアの夫々を備える記録媒体及び(ii)前記第１記録層及び前記第２記録層を備え、且つ前記第１記録層及び前記第２記録層の夫々が前記較正エリアを備える記録媒体の少なくとも一方に、前記記録情報を記録する記録手段と、
前記較正エリアの記録単位毎に、前記バッファーエリアを拡張又は生成するための所定サイズの予約エリアを設定する設定手段と、
前記設定された予約エリアを除く前記較正エリアを使用して前記パワーを較正する較正手段と、
前記記録情報を、少なくとも前記予約エリアに記録するように前記記録手段を制御する制御手段と
を備えることを特徴とする記録装置。
【請求項２】
前記制御手段は、前記バッファーエリアとして機能することを示すバッファーエリア属性が付加された前記記録情報を、少なくとも前記予約エリアに記録するように前記記録手段を制御することを特徴とする請求の範囲第１項に記載の記録装置。
【請求項３】
前記所定サイズは、前記記録媒体中に付与されているアドレスを取得することができる最小単位であることを特徴とする請求の範囲第１項に記載の記録装置。
【請求項４】
前記較正エリアの前記記録単位はＥＣＣブロックであり、前記所定サイズは少なくとも１セクタであることを特徴とする請求の範囲第１項に記載の記録装置。
【請求項５】
前記設定手段は、前記較正エリアの前記記録単位の始端部を起点として、前記所定サイズの前記予約エリアを設定することを特徴とする請求の範囲第１項に記載の記録装置。
【請求項６】
前記制御手段は、前記記録情報を、前記較正エリア全体に記録するように前記記録手段を制御することを特徴とする請求の範囲第１項に記載の記録装置。
【請求項７】
前記バッファーエリアは、リードインエリア、リードアウトエリア及びミドルエリアの少なくとも一つであることを特徴とする請求の範囲第１項に記載の記録装置。
【請求項８】
(i)レーザ光が照射されることで記録情報が記録される第１記録層及び第２記録層を備え、且つ前記第１記録層及び前記第２記録層の夫々が、当該記録装置の誤動作を防止するためのバッファーエリア及び前記記録情報を記録する際の前記レーザ光のパワーを較正するための較正エリアの夫々を備える記録媒体及び(ii)前記第１記録層及び前記第２記録層を備え、且つ前記第１記録層及び前記第２記録層の夫々が前記較正エリアを備える記録媒体の少なくとも一方に、前記記録情報を記録する第１記録工程と、
前記較正エリアの記録単位毎に、前記バッファーエリアを拡張又は生成する際に使用される所定サイズの予約エリアを設定する設定工程と、
前記設定された予約エリアを除く前記較正エリアを使用して前記パワーを較正する較正工程と、
前記記録情報を、少なくとも前記予約エリアに記録するよう第２記録工程と
を備えることを特徴とする記録方法。
【請求項９】
請求の範囲第１項に記載の記録装置に備えられたコンピュータを制御する記録制御用のコンピュータプログラムであって、該コンピュータを、前記設定手段、前記較正手段及び前記制御手段の少なくとも一つとして機能させることを特徴とするコンピュータプログラム。
【発明の詳細な説明】
【技術分野】
【０００１】
本発明は、例えばＤＶＤレコーダ等の記録装置及び方法、並びにコンピュータをこのような記録装置として機能させるコンピュータプログラムの技術分野に関する。
【背景技術】
【０００２】
映像や音声等のコンテンツデータやその他の各種データを手軽に記録することができるＤＶＤ等の記録媒体の普及が進んでいる。また、より多くのデータ量を有するコンテンツデータやその他の各種データを一枚の記録媒体に記録するために、二つの記録層を積層してなる二層型の記録媒体の開発も進んでおり、一部では既に製品化されている。【０００３】
このような記録媒体にコンテンツデータやその他の各種データを好適に記録するためには、これらのデータの記録を行うために照射されるレーザ光のパワーの較正を行う必要がある。パワーの較正は、ＰＣＡ（Power Calibration Area）やＩＤＴＡ（Inner Disc Testing Area）やＯＤＴＡ（Outer Disc Testing Area）等にＯＰＣパターンを記録することによって行なわれている。このパワーの較正に係る処理は、一般的には、ＯＰＣ（Optimum Power Control）と称される。【０００４】
他方、二層型の記録媒体においては、ファイナライズ処理の際に、レーザ光を照射する光ピックアップの暴走を防ぐためのミドルエリアが、外周側に配置されるＯＤＴＡの直前に作成される。ミドルエリアは、所定のダミーデータ等を記録媒体上に記録することで作成される。
【発明の開示】
【発明が解決しようとする課題】
【０００５】
ミドルエリアは、光ピックアップの暴走を好適に防ぐべく、ある一定以上の大きさを有する必要がある。しかしながら、ミドルエリアの外周側にはＯＤＴＡが配置されており、ミドルエリアを容易に拡張することができないという技術的な問題点を有している。これは、ミドルエリア以外のリードインエリアやリードアウトエリアについても同様である。【０００６】
本発明は、例えば上述した従来の問題点に鑑みなされたものであり、例えばある一定以上の大きさのミドルエリア等を好適に作成することができる記録装置及び方法、並びにコンピュータプログラムを提供することを課題とする。
【課題を解決するための手段】
【０００７】
（記録装置）
本発明の記録装置は上記課題を解決するために、(i)レーザ光が照射されることで記録情報が記録される第１記録層及び第２記録層を備え、且つ前記第１記録層及び前記第２記録層の夫々が、当該記録装置の誤動作を防止するためのバッファーエリア（例えば、後述のミドルエリア、或いはリードインエリアやリードアウトエリア）及び前記記録情報を記録する際の前記レーザ光のパワーを較正するための較正エリア（例えば、後述のＩＤＴＡやＯＤＴＡ）の夫々を備える記録媒体及び(ii)前記第１記録層及び前記第２記録層を備え、且つ前記第１記録層及び前記第２記録層の夫々が前記較正エリアを備える記録媒体の少なくとも一方に、前記記録情報を記録する記録手段と、前記較正エリアの記録単位毎に、前記バッファーエリアを拡張又は生成するための所定サイズの予約エリアを設定する設定手段と、前記設定された予約エリアを除く前記較正エリアを使用して前記パワーを較正する較正手段と、前記記録情報を、少なくとも前記予約エリアに記録するように前記記録手段を制御する制御手段とを備える。【０００８】
本発明の記録装置によれば、記録手段の動作により、記録情報を第１記録層及び第２記録層の夫々に記録することができる。記録情報は、所定のパワーのレーザ光が第１記録層又は第２記録層に焦点を合わせて照射されることで各記録層に記録される。第１記録層及び第２記録層の夫々には、バッファーエリアと較正エリアとが設けられる。バッファーエリアは、当該記録装置の誤動作を防止するために設けられる。例えば、記録情報が記録される記録層の変更動作を緩衝したり、該バッファーエリアより先の未記録部分にレーザ光が照射されないようにするために設けられる。即ち、レーザ光がバッファーエリアに照射されている間に記録層の変更動作を行なったり、或いはバッファーエリアを越えてレーザ光が照射されなければ、レーザ光を照射する光ピックアップの暴走を防止することができる。また、較正エリアは、例えばバッファーエリアに隣接ないしは近接するように設けられており、記録情報を記録する際に記録媒体に照射されるレーザ光のパワーを較正（或いは、調整）するために使用される。較正エリアに較正用の記録情報を記録することで、パワーの較正が行われる。或いは、バッファーエリアは、記録動作を開始する前の初期状態では設けられていなくともよい。記録動作の際に、記録媒体の一部がバッファーエリアとして割り当てられる構成であってもよい。【０００９】
本発明では特に、設定手段の動作により、バッファーエリアを拡張又は新たに生成するための予約エリアが較正エリア中に設定される。予約エリアは所定サイズの大きさを有している。好ましくは、予約エリアは、記録媒体中のアドレスを取得するために読み取ることが必要とされる記録エリアの大きさを有している。そして、較正手段の動作により、設定手段により設定された予約エリアを除く較正エリアの一部の記録エリアを用いて、レーザ光のパワーが較正される。その後、例えばファイナライズ処理の際に、制御手段の制御を受ける記録手段の動作により、少なくとも予約エリアに所定の記録情報（例えば、後述のダミーデータ等）が記録される。またファイナライズ処理の際には、バッファーエリアにも所定の記録情報（例えば、後述のダミーデータ等）が記録される。更には、較正エリアのうち、レーザ光のパワーの較正に使用されていない記録エリアにも、所定の記録情報（例えば、後述のダミーデータ等）が記録される。つまり、バッファーエリア及び較正エリアが設けられている付近の記録エリアには、少なくともファイナライズ処理の際には、記録情報が全体的に記録される。【００１０】
このように、制御手段の動作により、予約エリアとして設定された記録エリアにも記録情報が記録される。また、較正エリアには、較正用の記録情報が記録されている。従って、バッファーエリアに隣接ないしは近接して設けられている較正エリア（或いは、その付近）には、記録情報が記録されていない記録エリアは殆ど存在しない。即ち、記録媒体の一具体例たる光ディスクであれば、ミラー状態の記録エリアは較正エリア中には存在しない。従って、結果として、較正エリアをバッファーエリアと同様の機能を有する記録エリアとしてみなすことができる。つまり、実質的には、バッファーエリアを拡張することができる。従って、ある一定以上の大きさを有するバッファーエリアを好適に設けることができる。特に、複数の記録層を有する記録媒体であれば、各記録層を貼り合わせる際の誤差或いは偏芯誤差や、記録層毎のアドレスオフセット等の存在に起因して、比較的小さなバッファーエリアでは、動作の安定性を確保し難い事態が想定される。しかるに、本発明によれば、較正エリアを実質的にはバッファーエリアとして利用することができるため、ある一定以上の大きさを有する拡張されたバッファーエリアを設けることができ、その結果、動作の安定性をより好適に確保することができる。【００１１】
加えて、較正エリアの一部に、較正用の記録情報が記録されない予約エリアを設定するため、例えばファイナライズ処理の際に予約エリアへ記録情報が記録された後であっても、該予約エリアのセクタＩＤ等の制御情報を好適に読み取ることができる。仮に予約エリアを設けなければ、較正エリアに記録されている較正用の記録情報と、例えばファイナライズ処理の際に記録される記録情報とが干渉して、較正エリアにおいて好適な再生信号が得られず、その結果セクタＩＤ等の制御情報を読み取ることが困難ないしは不可能となる。このような事態は、特にトラッキング方式の異なる再生装置において顕著となり、安定的な動作の確保という観点からは好ましくない。しかるに、本発明によれば、記録動作の段階で較正エリアの一部が予約エリアとして設定される。このため、少なくともその予約エリアにおいては、例えばファイナライズ処理の際に記録情報が記録された後であっても、記録情報の干渉という不都合は生ずることなく、その結果セクタＩＤを好適に読み取ることができる。【００１２】
以上説明したように、本発明に係る記録装置によれば、ある一定以上の大きさのバッファーエリアを好適に作成することができると共に、その後の再生装置における動作の安定性をも好適に確保することが可能となる。【００１３】
本発明の記録装置の一の態様は、前記制御手段は、前記バッファーエリアとして機能することを示すバッファーエリア属性が付加された前記記録情報を、少なくとも前記予約エリアに記録するように前記記録手段を制御する。【００１４】
この態様によれば、予約エリア（更には、較正エリア）をバッファーエリアとして使用することができ、その結果、ある一定以上の大きさのバッファーエリアを好適に作成することができる。【００１５】
本発明の記録装置の他の態様は、前記所定サイズは、前記記録媒体中に付されているアドレスを取得することができる最小単位である。【００１６】
この態様によれば、アドレスを取得することができる最小単位の大きさを有する予約エリアが設定される。従って、必要以上に大きな予約エリアを設定する必要がない。このため、レーザ光の較正に使用することができる較正エリアの容量を大きく減少させることがない一方で、例えばファイナライズ処理の際に記録情報が記録された後であっても、記録情報が記録された後の予約エリアよりセクタＩＤを好適に読み取ることができる。従って、特に再生装置における動作の安定性を好適に確保することができる。【００１７】
本発明の記録装置の他の態様は、前記較正エリアの前記記録単位はＥＣＣブロックであり、前記所定サイズは少なくとも１セクタである。【００１８】
この態様によれば、レーザ光の較正に使用することができる較正エリアの容量を大きく減少させることがない一方で、例えばファイナライズ処理の際に記録情報が記録された後であっても、記録情報が記録された後の予約エリアよりセクタＩＤを好適に読み取ることができる。従って、特に再生装置における動作の安定性を好適に確保することができる。【００１９】
本発明の記録装置の他の態様は、前記較正エリアの前記記録単位はＥＣＣブロックであり、前記所定サイズは少なくとも３セクタである。【００２０】
この態様によれば、レーザ光の較正に使用することができる較正エリアの容量を大きく減少させることがない一方で、例えばファイナライズ処理の際に記録情報が記録された後であっても、記録情報が記録された後の予約エリアよりセクタＩＤを好適に読み取ることができる。従って、特に再生装置における動作の安定性を好適に確保することができる。【００２１】
本発明の記録装置の他の態様は、前記設定手段は、前記較正エリアの前記記録単位の始端部を起点として、前記所定サイズの前記予約エリアを設定する。【００２２】
この態様によれば、較正エリアの記録単位（例えば、１ＥＣＣブロックの大きさを有する記録単位）の端部に予約エリアを設定することができる。従って、較正エリアの端部以外に予約エリアが設定される場合と比較して、較正用の記録情報を記録しやすい。【００２３】
本発明の記録装置の他の態様は、前記制御手段は、前記記録情報を、前記較正エリア全体に記録するように前記記録手段を制御する。【００２４】
この態様によれば、予約エリアに選択的に記録情報を記録しなくともよい。即ち、初期設定時のバッファーエリアの外周側に、記録情報を連続的に記録していけば、バッファーエリアを拡張することができる。従って、記録装置の処理負荷を低減することができると共に、バッファーエリアを比較的容易に拡張することができる。【００２５】
本発明の記録装置の他の態様は、前記バッファーエリアは、リードインエリア、リードアウトエリア及びミドルエリアの少なくとも一つである。【００２６】
この態様によれば、ある一定以上の大きさを有するリードインエリアやリードアウトエリアやミドルエリアを好適に作成することができ、その結果、特に再生装置の動作の安定性を好適に確保することができる。【００２７】
（記録方法）
本発明の記録方法は上記課題を解決するために、(i)レーザ光が照射されることで記録情報が記録される第１記録層及び第２記録層を備え、且つ前記第１記録層及び前記第２記録層の夫々は、当該記録装置の誤動作を防止するためのバッファーエリア及び前記記録情報を記録する際の前記レーザ光のパワーを較正するための較正エリアの夫々を備える記録媒体及び(ii)前記第１記録層及び前記第２記録層を備え、且つ前記第１記録層及び前記第２記録層の夫々が、前記較正エリアを備える記録媒体の少なくとも一方に、前記記録情報を記録する第１記録工程と、前記較正エリアの記録単位毎に、前記バッファーエリアを拡張又は生成するための所定サイズの予約エリアを設定する設定工程と、前記設定された予約エリアを除く前記較正エリアを使用して前記パワーを較正する較正工程と、前記記録情報を、少なくとも前記予約エリアに記録するよう第２記録工程とを備える。【００２８】
本発明の記録方法によれば、上述した本発明の記録装置が有する各種利益と同様の利益を享受することができる。【００２９】
尚、上述した本発明の記録装置における各種態様に対応して、本発明の記録方法も各種態様を採ることが可能である。【００３０】
（コンピュータプログラム）
本発明のコンピュータプログラムは上記課題を解決するために、上述した本発明の記録装置（但し、その各種態様を含む）に備えられたコンピュータを制御する記録制御用のコンピュータプログラムであって、該コンピュータを、前記記録装置の少なくとも一部（具体的には、前記設定手段、前記較正手段及び前記制御手段の少なくとも一つ）として機能させる。【００３１】
本発明のコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の記録装置を比較的簡単に実現できる。【００３２】
尚、上述した本発明の記録装置における各種態様に対応して、本発明のコンピュータプログラムも各種態様を採ることが可能である。【００３３】
コンピュータ読取可能な媒体内のコンピュータプログラム製品は上記課題を解決するために、上述した本発明の記録装置（但し、その各種形態も含む）に備えられたコンピュータにより実行可能なプログラム命令を明白に具現化し、該コンピュータを、前記記録装置の少なくとも一部（具体的には、前記設定手段、前記較正手段及び前記制御手段の少なくとも一つ）として機能させる。【００３４】
本発明のコンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の記録装置を比較的容易に実施可能となる。更に具体的には、当該コンピュータプログラム製品は、上述した本発明の記録装置として機能させるコンピュータ読取可能なコード（或いはコンピュータ読取可能な命令）から構成されてよい。【００３５】
本発明のこのような作用及び他の利得は次に説明する実施例から更に明らかにされる。【００３６】
以上説明したように、本発明の記録装置又は方法は、記録手段、設定手段、較正手段及び制御手段、又は第１記録工程、設定工程、較正工程及び第２記録工程を備える。従って、ある一定以上の大きさのミドルエリア等を好適に作成することができる。
【図面の簡単な説明】
【００３７】
【図１】本実施例に係る光ディスクの基本構造を示した概略平面図である。
【図２】本実施例に係る光ディスクの概略断面図と、これに対応付けられた、その半径方向における記録領域構造の図式的概念図である。
【図３】本実施例に係る記録再生装置の基本的な構成を概念的に示すブロック図である。
【図４】本実施例に係る記録再生装置の動作の流れを概念的に示すフローチャートである。
【図５】ＯＰＣパターンの態様を概念的に示す模式図である。
【図６】ＯＰＣパターンが実際に記録される態様を概念的に示すデータ構造図である。
【図７】ファイナライズ処理の際の光ディスクの外周側へのデータの記録の一の態様を概念的に示すデータ構造図である。
【図８】ファイナライズ処理の際の光ディスクの外周側へのデータの記録の他の態様を概念的に示すデータ構造図である。
【図９】ファイナライズ処理の際の光ディスクの内周側へのデータの記録の他の態様を概念的に示すデータ構造図である。
【符号の説明】
【００３８】
１００、  光ディスク
１０２  リードインエリア
１０３ａ、１１３ａ  ＩＤＴＡ
１０３ｂ、１１３ｂ  ＯＤＴＡ
１０３ｃ、１１３ｃ  フレキシブルＯＤＴＡ
１１８  リードアウトエリア
１０９、１１９  初期ミドルエリア
１１０、１２０  シフテッドミドルエリア
２００  記録再生装置
３５２  光ピックアップ
３５３  信号記録再生手段
３５４、３５９  ＣＰＵ
３５５、３６０  メモリ
【発明を実施するための最良の形態】
【００３９】
以下、本発明を実施するための最良の形態について実施例毎に順に図面に基づいて説明する。【００４０】
（記録媒体の実施例）
まず、図１及び図２を参照して、本発明の記録装置に係る実施例によりデータが記録される記録媒体としての光ディスクの基本構造について説明を進める。ここに、図１は、本実施例に係る光ディスク１００の基本構造を示した概略平面図であり、図２は、該光ディスク１００の概略断面図と、これに対応付けられた、その半径方向における記録領域構造の図式的概念図である。【００４１】
図１に示されるように、光ディスク１００は、例えば、ＤＶＤと同じく直径１２ｃｍ程度のディスク本体上の記録面に、センターホール１０１を中心として、リードインエリア（Lead-in Area）１０２又はリードアウトエリア（Lead-out Area）１１８、データエリア１０５及び１１５、並びに初期ミドルエリア１０９及び１１９が設けられている。そして、光ディスク１００は、透明基板１１０上に記録層等が積層されている。そして、この記録層の各記録領域には、例えば、センターホール１０１を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、記録情報がエラー訂正可能なデータ管理単位である。尚、リードインエリア１０２、リードアウトエリア１１８及び初期ミドルエリア１０９（１１９）が、本発明の「バッファーエリア」の一具体例を構成する。【００４２】
尚、本発明は、このような三つのエリアを有する光ディスクには特に限定されない。例えば、リードインエリア１０２、リードアウトエリア１１８又は初期ミドルエリア１０９（１１９）が存在せずとも、以下に説明するデータ構造等の構築は可能である。また、後述するように、リードインエリア１０２、リードアウトエリア１１８又は初期ミドルエリア１０９（１１９）は更に細分化された構成であってもよい。【００４３】
特に、本実施例に係る光ディスク１００は、図２に示されるように、例えば、透明基板１１０に、Ｌ０層及びＬ１層が積層された構造をしている。このような二層型の光ディスク１００の記録再生時には、図２中、下側から上側に向かって照射されるレーザ光ＬＢの集光位置をいずれの記録層に合わせるかに応じて、Ｌ０層におけるデータの記録再生が行なわれるか又はＬ１層におけるデータの記録再生が行われる。特に、Ｌ０層においては内周側から外周側に向かってデータが記録され、他方Ｌ１層においては外周側から内周側に向かってデータが記録される。即ち、本実施例に係る光ディスク１００は、オポジットトラックパス方式の光ディスクに相当する。但し、パラレルトラックパス方式の光ディスクであっても、以下に説明する構成を採用することで、以下に述べる各種利益を享受することができる。【００４４】
また、本実施例に係る光ディスク１００は、リードインエリア１０２及びリードアウトエリア１１８の更に内周側に、ＩＤＴＡ（Inner Disc Testing Area）１０３ａ（１１３ａ）、を備えており、また初期ミドルエリア１０９（１１９）の更に外周側に、ＯＤＴＡ（Outer Disc Testing Area）１０３ｂ（１１３ｂ）を備えている。【００４５】
ＩＤＴＡ１０３ａ（１１３ａ）及びＯＤＴＡ１０３ｂ（１１３ｂ）は、本発明の「較正エリア」の一具体例を構成しており、光ディスク１００へデータを記録する際のレーザ光ＬＢのレーザパワーを調整（較正）するＯＰＣ（Optimum Power Control）処理を実行するための記録エリアである。レーザパワーを段階的に変化させながらＩＤＴＡ１０３ａ（１１３ａ）ないしはＯＤＴＡ１０３ｂ（１１３ｂ）にＯＰＣパターンが記録され、且つ記録されたＯＰＣパターンの再生品質（例えばアシンメトリ等）が測定されることで、データを記録する際の最適なレーザパワー（最適記録レーザパワー）が算出される。特に、光ディスク１００の相対的に内周側の記録エリアにデータを記録する際の最適なレーザパワーは、ＩＤＴＡ１０３ａ（１１３ａ）にＯＰＣパターンを記録することで算出されることが好ましい。また、光ディスク１００の相対的に外周側の記録エリアにデータを記録する際の最適なレーザパワーは、ＯＤＴＡ１０３ｂ（１１３ｂ）にＯＰＣパターンを記録することで算出されることが好ましい。【００４６】
そして、他の記録層の影響を受けることなく好適にＯＰＣ処理を行うために、Ｌ１層のＩＤＴＡ１１３ａないしはＯＤＴＡ１１３ｂを用いてＯＰＣ処理を実行する際には、データが未記録のＬ０層を介してレーザ光ＬＢが照射されることでＯＰＣパターンが記録される。もちろん、Ｌ０層のＩＤＴＡ１０３ａないしはＯＤＴＡ１０３ｂにおいても同様である。このため、Ｌ０層のＩＤＴＡ１０３ａとＬ１層のＩＤＴＡ１１３ａとは、レーザ光ＬＢを照射する側から見て、重複する位置に配置されないことが好ましい。同様に、Ｌ０層のＯＤＴＡ１０３ｂとＬ１層のＯＤＴＡ１１３ｂとは、レーザ光ＬＢを照射する側から見て、重複する位置に配置されないことが好ましい。【００４７】
但し、光ディスク１００の特にデータエリア１０５（１１５）等の通常のデータを記録する記録エリアにおいては、原則として、Ｌ０層のデータエリア１０５にデータを記録した後にＬ１層のデータエリア１１５にデータが記録される。即ち、データが記録されたＬ０層のデータエリア１０５を介してレーザ光ＬＢを照射することで、Ｌ１層のデータエリア１１５にデータが記録される。他の記録エリアに関しても原則同様である。【００４８】
（記録再生装置の実施例）
次に図３から図９を参照して、本発明の記録装置に係る実施例としての記録再生装置２００の構成及び動作について説明する。【００４９】
（１）基本構成
先ず、図３を参照して、本実施例に係る記録再生装置２００の基本的構成について説明する。ここに、図３は、本実施例に係る記録再生装置２００の基本的な構成を概念的に示すブロック図である。尚、記録再生装置２００は、光ディスク１００にデータを記録する機能と、光ディスク１００に記録されたデータを再生する機能とを備える。【００５０】
図３に示すように、記録再生装置２００は、実際に光ディスク１００がローディングされ且つデータの記録やデータの再生が行なわれるディスクドライブ３００と、該ディスクドライブ３００に対するデータの記録及び再生を制御するパーソナルコンピュータ等のホストコンピュータ４００とを備えている。【００５１】
ディスクドライブ３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、及びバス３５７を備えて構成されている。また、ホストコンピュータ４００は、ＣＰＵ３５９、メモリ３６０、操作／表示制御手段３０７、操作ボタン３１０、表示パネル３１１、及びデータ入出力制御手段３０８を備えて構成される。【００５２】
スピンドルモータ３５１は光ディスク１００を回転及び停止させるもので、光ディスク１００へのアクセス時に動作する。より詳細には、スピンドルモータ３５１は、図示しないサーボユニット等によりスピンドルサーボを受けつつ所定速度で光ディスク１００を回転及び停止させるように構成されている。【００５３】
光ピックアップ３５２は、本発明における「記録手段」の一具体例を構成しており、光ディスク１００への記録再生を行うために、例えば半導体レーザ装置とレンズ等から構成される。より詳細には、光ピックアップ３５２は、光ディスク１００に対してレーザービーム等の光ビームを、再生時には読み取り光として第１のパワーで照射し、記録時には書き込み光として第２のパワーで且つ変調させながら照射する。【００５４】
信号記録再生手段３５３は、スピンドルモータ３５１と光ピックアップ３５２を制御することで光ディスク１００に対して記録再生を行う。より具体的には、信号記録再生手段３５３は、例えば、レーザダイオードドライバ（ＬＤドライバ）及びヘッドアンプ等によって構成されている。レーザダイオードドライバは、例えば駆動パルスを生成し、光ピックアップ３５２内に設けられた図示しない半導体レーザを駆動する。ヘッドアンプは、光ピックアップ３５２の出力信号、即ち、光ビームの反射光を増幅し、該増幅した信号を出力する。より詳細には、信号記録再生手段３５３は、ＯＰＣ処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。【００５５】
メモリ３５５は、記録再生データのバッファ領域や、信号記録再生手段３５３で使用出来るデータに変換する時の中間バッファとして使用される領域などディスクドライブ３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【００５６】
ＣＰＵ（ドライブ制御手段）３５４は、信号記録再生手段３５３及びメモリ３５５と、バス３５７を介して接続され、各種制御手段に指示を行うことで、ディスクドライブ３００全体の制御を行う。通常、ＣＰＵ３５４が動作するためのソフトウェア又はファームウェアは、メモリ３５５に格納されている。【００５７】
データ入出力制御手段３０６は、ディスクドライブ３００に対する外部からのデータ入出力を制御し、メモリ３５５上のデータバッファへの格納及び取り出しを行う。ディスクドライブ３００とＳＣＳＩや、ＡＴＡＰＩなどのインタフェースを介して接続されている外部のホストコンピュータ４００から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。【００５８】
操作／表示制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作／表示制御手段３０７からの指示情報を元に、データ入出力手段３０８を介して、ディスクドライブ３００に対して制御命令（コマンド）を送信し、ディスクドライブ３００全体を制御する。同様に、ＣＰＵ３５９は、ディスクドライブ３００に対して、動作状態をホストに送信するように要求するコマンドを送信することができる。これにより、記録中や再生中といったディスクドライブ３００の動作状態が把握できるためＣＰＵ３５９は、操作／表示制御手段３０７を介して蛍光管やＬＣＤなどの表示パネル３１１にディスクドライブ３００の動作状態を出力することができる。【００５９】
メモリ３６０は、ホストコンピュータ４００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３０８を介して、図示しないハードディスク等の外部記憶装置に接続されていてもよい。【００６０】
以上説明した、ディスクドライブ３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、ディスクドライブ３００はディスクドライブ（以下、適宜ドライブと称す）であり、ホストコンピュータ４００はパーソナルコンピュータやワークステーションである。パーソナルコンピュータ等のホストコンピュータとドライブはＳＣＳＩやＡＴＡＰＩといったデータ入出力制御手段３０６及び３０８を介して接続されており、ホストコンピュータ４００にインストールされているライティングソフトウェア等のアプリケーションが、ディスクドライブ３００を制御する。【００６１】
（２）動作原理
続いて、図４から図８を参照して、本実施例に係る記録再生装置２００の動作原理について説明する。ここでは、図４を用いて動作原理の全体的概略を説明するとともに、図５から図８を用いて適宜補足的なないしはより詳細な説明を加える。ここに、図４は、本実施例に係る記録再生装置２００の動作の流れを概念的に示すフローチャートである。【００６２】
図４に示すように、初めに、記録再生装置２００の電源がＯＮに切り替えられ、続いて、光ディスク１００がディスクドライブ３００にローディングされる（ステップＳ１０１）。このローディングの後、データの記録や再生等に必要な各種制御データないしは管理データが読み取られてもよい。その後、ローディングされた光ディスク１００に対して、データの記録を行うが否かが判定される（ステップＳ１０２）。例えば、ユーザが外部リモコンによりデータの記録を行う旨の指示を出していれば、データの記録を行うと判定されてもよい。【００６３】
ステップＳ１０２の判定の結果、データの記録を行なわないと判定された場合（ステップＳ１０２：Ｎｏ）、ステップＳ１０９へ進む。他方、データの記録を行うと判定された場合（ステップＳ１０２：Ｙｅｓ）、続いて、ＯＰＣ処理が既に行なわれているか否かが判定される（ステップＳ１０３）。【００６４】
ステップＳ１０３の判定の結果、ＯＰＣ処理が既に行われていると判定された場合（ステップＳ１０３：Ｙｅｓ）、既に行われていたＯＰＣ処理により算出された最適記録レーザパワーでレーザ光ＬＢが照射されながら、光ディスク１００にデータが記録される（ステップＳ１０８）。【００６５】
他方、ＯＰＣ処理が未だに行われていないと判定された場合（ステップＳ１０３：Ｎｏ）、ＯＰＣ処理を行う。尚、以下のＯＰＣ処理の説明では、ＯＤＴＡ１０３ｂ（１１３ｂ）に焦点を絞って説明を進める。初めに、本発明の「設定手段」の一具体例を構成するＣＰＵ３５４の制御の下に、本発明の「予約エリア」の一具体例を構成するミドルエリア拡張用予約エリアが、ＯＤＴＡ１０３ｂ（１１３ｂ）中に設定される（ステップＳ１０４）。ミドルエリア拡張用予約エリアには、ＯＰＣ処理の際に、ＯＰＣパターンが記録されない。従って、以降のＯＰＣ処理においては、ミドルエリア拡張用予約エリアを除くＯＤＴＡ１０３ｂ（１１３ｂ）にＯＰＣパターンが記録されることで最適記録レーザパワーが算出される。その後、ＯＰＣパターンが光ディスク１００のＯＤＴＡ１０３ｂ（１１３ｂ）に記録される（ステップＳ１０５）。【００６６】
このミドルエリア拡張用予約エリアの設定及びＯＰＣパターンの記録について、図５及び図６を参照してより詳細に説明する。ここに、図５は、ＯＰＣパターンの態様を概念的に示す模式図であり、図６は、ＯＰＣパターンが実際に記録される態様を概念的に示すデータ構造図である。【００６７】
図５に示すように、ＯＰＣ処理には、例えば３Ｔパルスに相当する短ピット（マーク）及び１１Ｔパルスに相当する長ピット（マーク）を夫々同一の長さの無記録区間（スペース）と共に交互に形成したＯＰＣパターンが使用される。そして、記録レーザパワーを例えばＳｔｅｐ１からＳｔｅｐ１６までの１６段階に切り替えながらＯＰＣパターンが記録される。【００６８】
図６に示すように、このようなＯＰＣパターンは、例えばＬ０層であれば、ＯＤＴＡ１０３ｂの外周側の記録エリア部分より順に記録される。例えば、初めにＯＤＴＡ１０３ｂの一部の記録エリア部分１０３１ｂにＯＰＣパターンが記録され、その後、順に内周側の記録エリア部分１０３２ｂ、１０３３ｂにＯＰＣパターンが記録される。各記録エリア部分のサイズは、例えば１ＥＣＣブロックである。その記録エリア部分内では、ＯＰＣパターンは、データエリア１０５におけるデータの記録の方向と同様に、内周側から外周側に向かって順に記録される。他方、例えばＬ１層であれば、ＯＤＴＡ１１３ｂの内周側の記録エリア部分より順に記録される。例えば、初めにＯＤＴＡ１１３ｂの一部の記録エリア部分１１３１ｂにＯＰＣパターンが記録され、その後、順に外周側の記録エリア部分１１３２ｂ、１１３３ｂにＯＰＣパターンが記録される。その記録エリア部分内では、データエリア１１５におけるデータの記録の方向と同様に、ＯＰＣパターンは外周側から内周側に向かって順に記録される。【００６９】
本実施例では特に、ＯＤＴＡ１０３ｂ（１１３ｂ）の各記録エリア部分のうち、最初の３セクタが、ミドルエリア拡張用予約エリアとして設定される。即ち、各記録エリア部分内の第０セクタから第２セクタまでは未記録状態として残しておき、第３セクタから第１５セクタまでにＯＰＣパターンを記録することでＯＰＣ処理が行なわれる。これは、以下の理由からである。【００７０】
ＯＤＴＡ１０３ｂ（１１３ｂ）に隣接ないしは近接する初期ミドルエリア１０９（１１９）には、光ディスク１００の再生専用ドライブとの再生互換性を取るために、ファイナライズ処理の際にダミーデータ等（例えば、“００ｈ”データ等や、その他ファイナライズ処理の際に記録されるべき制御データ等）が記録される。この際、データが記録されていない未記録部（即ち、ミラー状態となっている記録エリア）への光ピックアップ３５１の飛び出しに起因する動作の暴走を好適に防止すべく、ダミーデータ等は初期ミドルエリア１０９（１１９）の範囲よりもより広い範囲に記録される必要がある。このため、ＯＰＣパターンが記録されたＯＤＴＡ１０３ｂ（１１３ｂ）においてもダミーデータ等が記録される。このようなダミーデータ等の記録がなされた後であっても、記録再生装置２００（ないしは、再生専用ドライブ）の動作の安定性を確保するという観点からは、ダミーデータ等が記録された記録エリア部分の少なくともセクタＩＤ等を読み取ることができることが好ましい。しかしながら、ＯＰＣパターンが記録された記録エリア部分に更にダミーデータ等を記録すると、光ディスク１００上の記録ピットが暗くなり（反射率が低くなり）、結果としてデータを読み取ることができなくなってしまうおそれがある。このため、ＯＤＴＡ１０３ｂ（１１３ｂ）の各記録エリア部分のうち少なくとも３セクタは、ＯＰＣパターンを記録することがないミドルエリア拡張用予約エリアとして設定することで、ダミーデータ等が記録された後であっても、この３セクタのセクタＩＤを読み取ることができるようにしている。【００７１】
再び図４において、続いて、ステップＳ１０５で記録されたＯＰＣパターンを再生する（ステップＳ１０６）。そして、ステップＳ１０６において再生されたＯＰＣパターンに基づいて、データを記録する際の最適記録レーザパワーが算出される（ステップＳ１０７）。より具体的には、図示しないエンベロープ検波器に入力されたＯＰＣパターンの再生信号たるＲＦ信号より、当該ＲＦ信号のエンベロープ検波のピーク値及びボトム値がサンプリングされる。そして、このピーク値とボトム値から、ＯＰＣパターンの再生品質であるアシンメトリが算出される。このようなＯＰＣパターン（具体的には、３Ｔマークと１１Ｔスペースの１つの組）の再生及びアシンメトリの測定が、１回のＯＰＣ処理において、例えば記録された記録パターンの回数（即ち、切り替えられた記録レーザパワーの数）に応じて行われる。これにより、記録レーザパワーとアシンメトリとの相関関係を取得することができる。その後、相関関係に基づいて、ターゲットアシンメトリを実現する（例えば、アシンメトリが“０”となる）記録レーザパワーが、最適記録レーザパワーとして算出される。尚、以上に説明したＯＰＣパターンの記録、再生及び最適レーザパワーの算出は、本発明の「較正手段」の一具体例を構成するＣＰＵ３５４の制御の下に行われる。【００７２】
その後、ＣＰＵ３５４の制御の下に、ステップＳ１０７において算出された最適記録レーザパワーにてレーザ光が照射されながら、データエリア１０５（１１５）に各種データが記録される（ステップＳ１０８）。【００７３】
続いて、光ディスク１００に記録されているデータを再生するか否かが判定される（ステップＳ１０９）。例えば、ユーザが外部リモコンによりデータの再生を行う旨の指示を出していれば、データの再生を行うと判定されてもよい。【００７４】
この判定の結果、データを再生すると判定された場合（ステップＳ１０９：Ｙｅｓ）、再生レーザパワーにてレーザ光ＬＢを光ディスク１００に照射することで、光ディスク１００上に記録されたデータを読み取り、復調処理や復号化処理等の信号処理を施した後、例えば映像や音声ないしはその他の各種形式で再生する（ステップＳ１１０）。他方、データを再生しないと判定された場合（ステップＳ１０９：Ｎｏ）、データは再生されない。【００７５】
その後、ファイナライズ処理を行うか否かが判定される（ステップＳ１１１）。即ち、新たにデータが記録された光ディスク１００を、再生専用ドライブでも再生することができるように、リードインエリア１０２、リードアウトエリア１１８及び初期ミドルエリア１０９（１１９）にダミーデータ等を記録するか否かが判定される。【００７６】
この判定の結果、ファイナライズ処理を行うと判定された場合（ステップＳ１１１：Ｙｅｓ）、光ディスク１００に対してファイナライズ処理が行なわれる。具体的には、先ず、本発明の「制御手段」の一具体例を構成するＣＰＵ３５４の制御の下に、ＯＰＣパターンが記録されていないミドルエリア拡張用予約エリアに、ミドルエリア属性を有するダミーデータ等が記録される（ステップＳ１１２）。この際、ＯＰＣパターンが既に記録されているＯＤＴＡ１０３ｂ（１１３ｂ）にミドルエリア属性を有するダミーデータ等を更に記録（即ち、上書き）してもよい。或いは、ＯＰＣパターンが記録されているＯＤＴＡ１０３ｂ（１１３ｂ）を選択的に除外して、ミドルエリア拡張用予約エリアに選択的にミドルエリア属性を有するダミーデータ等を記録してもよい。この際、初期ミドルエリア１０９（１１９）にもミドルエリア属性を有するダミーデータ等が記録される。また、ミドルエリア拡張用予約エリアでもなく且つＯＰＣパターン記録されていないＯＤＴＡ１０３ｂ（１１３ｂ）にもミドルエリア属性を有するダミーデータ等が記録されることが好ましい。また、初期ミドルエリア１０９（１１９）とＯＤＴＡ１０３ｂ（１１３ｂ）以外の記録エリアであっても、初期ミドルエリア１０９（１１９）の内周側の端部から、外周側に向かって所定の距離にある（例えば、概ね０．４ｍｍ以内の）記録エリアにも、ミドルエリア属性を有するダミーデータ等が記録されることが好ましい。その後、リードインエリア１０２（特に、その未記録部分）には、リードイン属性を有するダミーデータ等が記録され、リードアウトエリア１１８（特に、その未記録部分）には、リードアウト属性を有するダミーデータ等が記録される（ステップＳ１１３）。【００７７】
尚、ダミーデータ等は、必ずしもファイナライズ処理の際に記録される必要はない。例えば、記録再生装置２００の記録動作に悪影響を及ぼさなければ、データエリア１０５（１１５）にデータを記録している途中であっても、ファイナライズ処理に先立って、リードインエリア１０２やリードアウトエリア１１８や初期ミドルエリア１０９（１１９）の一部ないしは全体にダミーデータ等を記録（即ち、プリ記録）するように構成してもよい。【００７８】
他方、ファイナライズ処理を行なわないと判定された場合（ステップＳ１１１：Ｎｏ）、光ディスク１００に対してファイナライズ処理は行なわれない。【００７９】
このファイナライズ処理のうち、初期ミドルエリア１０９（１１９）へのダミーデータ等の記録動作について、図７及び図８を参照してより詳細に説明する。図７及び図８は、ファイナライズ処理の際の光ディスク１００（特に、光ディスク１００の外周側）へのデータの記録の態様を概念的に示すデータ構造図である。【００８０】
図７（ａ）に示すように、データエリア１０５（１１５）にデータが記録された後にファイナライズ処理が行なわれる。尚、ここでは、網掛け部分は、所定のデータが記録されている記録エリアを示すものとする。【００８１】
このとき、上述したように、単に初期ミドルエリア１０９（１１９）にダミーデータ等を記録するのみならず、初期ミドルエリア１０９（１１９）の更に外周側の記録エリアにもダミーデータ等が記録される。具体的には、図７（ｂ）に示すように、初期ミドルエリア１０９（１１９）に加えて、ＯＤＴＡ１０３ｂ（１１３ｂ）を含む更に外周側の記録エリア（特に、ミドルエリア拡張用予約エリアやその他の未記録部分）にもダミーデータ等が記録される。このとき、ダミーデータ等が記録されたＬ０層の記録エリアの内周側の端部と、ダミーデータ等が記録されたＬ１層の記録エリアの外周側の端部とが、径方向において概ね０．４ｍｍ以上離れていることが好ましい。このようにダミーデータ等が記録されることで、結果として、初期ミドルエリア１０９（１１９）よりも大きい拡張ミドルエリアが、データエリア１０５（１１５）の外周側に形成され、動作の安定性を確保することができる。【００８２】
また、必ずしもデータエリア１０５（１１５）の全体にデータが記録された後にファイナライズ処理が行なわれる必要はない。例えば、図８（ａ）に示すように、データエリア１０５の途中まで（例えば、点Ａを終端部として）データを記録した後、折り返しデータエリア１１５にデータを記録する場合であっても、ファイナライズ処理を行ってもよい。このとき、折り返しデータエリア１１５にデータを記録する時点で、データエリア１０５（１１５）のうちデータが記録済みの記録エリアの外周側の端部に隣接するように、シフテッドミドルエリア（shifted Middle Area）１１０（１２０）が形成される。また、シフテッドミドルエリア１１０（１２０）の更に外周側には、フレキシブルＯＤＴＡ（flexible ODTA）１０３ｃ（１１３ｃ）が形成される。シフテッドミドルエリア１１０（１２０）とフレキシブルＯＤＴＡ１０３ｃ（１１３ｃ）との関係は、上述した初期ミドルエリア１０９（１１９）とＯＤＴＡ１０３ｂ（１１３ｂ）との関係と概ね同様である。また、フレキシブルＯＤＴＡ１０３ｃ（１１３ｃ）にＯＰＣパターンを記録する際には、上述したようにミドルエリア拡張用予約エリアが設定されることは言うまでもない。【００８３】
その後、ファイナライズ処理を行う際には、図８（ｂ）に示すように、シフテッドミドルエリア１１０（１２０）に加えて、フレキシブルＯＤＴＡ１０３ｃ（１１３ｃ）を含む更に外周側の記録エリア（特に、ミドルエリア拡張用予約エリアやその他の未記録部分）にもダミーデータ等が記録される。これによっても、図７（ｂ）の場合と同様に、動作の安定性を確保することができる。【００８４】
再び図４において、ステップＳ１１１のファイナライズ処理の後、光ディスク１００をディスクドライブ３００よりイジェクトするか否かが判定される（ステップＳ１１４）。例えば、ユーザが外部リモコンにより光ディスク１００のイジェクトを行う旨の指示を出していれば、光ディスク１００のイジェクトを行うと判定されてもよい。【００８５】
この判定の結果、光ディスク１００のイジェクトを行うと判定された場合（ステップＳ１１４：Ｙｅｓ）、更新すべきディスク管理情報を、リードインエリア１０２内のＲ−ｉｎｆｏｒｍａｉｔｏｎエリアに記録する（ステップＳ１１５）。その後、光ディスク１００がディスクドライブ３００からイジェクトされる（ステップＳ１１６）。他方、光ディスク１００のイジェクトを行わないと判定された場合（ステップＳ１１４：Ｎｏ）、再度ステップＳ１０２へ戻り、上述した動作を適宜繰り返す。【００８６】
以上説明したように、本実施例に係る記録再生装置２００によれば、少なくとも初期ミドルエリアよりも大きい、ある一定以上の大きさの拡張ミドルエリアを作成することができる。特に、複数の記録層を有する光ディスク１００においては、各記録層を貼り合わせる際の誤差或いは各記録層の中心と回転中心位置の誤差や、記録層毎のアドレスオフセット等の存在に起因して、比較的小さなミドルエリアでは、動作の安定性を確保し難い事態が想定される。しかるに、本実施例によれば、ＯＤＴＡ１０３ｂ（１１３ｂ）を実質的にはミドルエリアとして利用することができるため、ある一定以上の大きさを有する拡張ミドルエリアを作成することができる。その結果、記録再生装置２００の動作の安定性をより好適に確保することができる。特に、データが記録された光ディスク１００を、トラッキング方式の異なる再生専用の再生装置にて再生する際に、動作の安定性を好適に確保することができる。【００８７】
加えて、ＯＤＴＡ１０３ｂ（１１３ｂ）の一部に、ＯＰＣパターンが記録されないミドルエリア拡張用予約エリアが設定される。従って、例えばファイナライズ処理の際にＯＤＴＡ１０３ｂ（１１３ｂ）へダミーデータ等が記録された後であっても、少なくともミドルエリア拡張用予約エリアにおけるセクタＩＤ等の制御情報は、好適に読み取ることができる。仮にミドルエリア拡張用予約エリアを設けなければ、ＯＤＴＡ１０３ｂ（１１３ｂ）に記録されているＯＰＣパターンと、例えばファイナライズ処理の際に記録されるダミーデータ等とが干渉して、ＯＤＴＡ１０３ｂ（１１３ｂ）において好適な再生信号が得られず、その結果セクタＩＤ等の制御情報を読み取ることが困難ないしは不可能となり得る。このような事態は、特にトラッキング方式の異なる再生装置において顕著となるため好ましくない。しかるに、本実施例によれば、記録動作の段階でＯＤＴＡ１０３ｂ（１１３ｂ）の一部がミドルエリア拡張用予約エリアとして設定される。このため、少なくともそのミドルエリア拡張用予約エリアにおいては、例えばファイナライズ処理の際にダミーデータ等が記録された後であっても、データの干渉という不都合は生ずることなく、その結果セクタＩＤを好適に読み取ることができる。これにより、特にトラッキング方式の異なる再生専用の再生装置においても、ファイナライズ処理がなされたＯＤＴＡ１０３ｂ（１１３ｂ）をトレースすることができ、光ピックアップの暴走という不都合を回避することができる。即ち、再生動作の安定性を好適に確保することができる。【００８８】
尚、初期ミドルエリア１０９（１１９）とＯＤＴＡ１０３ｂ（１１３ｂ）、或いはシフテッドミドルエリア１１０（１２０）とフレキシブルＯＤＴＡ１０３ｃ（１１３ｃ）についての説明を進めてきたが、本発明はこれに限定されない。例えば、リードインエリア１０２及びリードアウトエリア１１８とＩＤＴＡ１０３ａ（１１３ａ）についても同様のことが言える。ここで、図９を参照しながら、リードインエリア１０２及びリードアウトエリア１１８とＩＤＴＡ１０３ａ（１１３ａ）に上述の記録動作を適用した場合について説明する。ここに、図９は、ファイナライズ処理の際の光ディスク１００（特に、光ディスク１００の内周側）へのデータの記録の態様を概念的に示すデータ構造図である。【００８９】
図９（ａ）に示すように、データエリア１０５（１１５）にデータが記録された後にファイナライズ処理が行なわれる。尚、ここでは、網掛け部分は、所定のデータが記録されている記録エリアを示すものとする。尚、ＩＤＴＡ１０３ａ（１１３ａ）にＯＰＣパターンを記録する際には、１ＥＣＣブロック毎に３セクタのエリア拡張用予約エリアが設定される。【００９０】
このとき、単にリードインエリア１０２及びリードアウトエリア１１８にダミーデータ等を記録するのみならず、リードインエリア１０２及びリードアウトエリア１１８の更に内周側の記録エリアにもダミーデータ等が記録される。即ち、上述した初期ミドルエリア１０９（１１９）にダミーデータ等を記録する場合の記録の態様と同様に、リードインエリア１０２及びリードアウトエリア１１８にダミーデータ等が記録される。具体的には、図９（ｂ）に示すように、リードインエリア１０２及びリードアウトエリア１１８に加えて、ＩＤＴＡ１０３ａ（１１３ａ）を含む更に内周側の記録エリア（特に、拡張用予約エリアやその他の未記録部分）にもダミーデータ等が記録される。このようにダミーデータ等が記録されることで、結果として、予め設定されたリードインエリア１０２及びリードアウトエリア１１８よりも大きい拡張リードインエリアや拡張リードアウトエリアが、データエリア１０５（１１５）の内周側に形成され、動作の安定性を確保することができる。【００９１】
このように、光ディスク１００の内周側に位置するリードインエリア１０２やリードアウトエリア１１８或いはＩＤＴＡ１０３ａ（１１３ａ）等においても、上述した各種利益を享受することができる。【００９２】
尚、上述の実施例では、ミドルエリア拡張用予約エリアは、１ＥＣＣブロック毎に３セクタ確保しているが、ミドルエリア拡張用予約エリアの大きさはこれに限定されない。具体的には、再生装置の再生処理系において、ミドルエリア拡張用予約エリアからセクタＩＤ等を取得することができる大きさであれば足りる。即ち、ミドルエリア拡張用予約エリアからセクタＩＤ等を取得することができれば、ミドルエリア拡張用予約エリアの大きさは３セクタよりも小さくともよい。もちろん、３セクタよりも大きくしてもよい。ミドルエリア拡張用予約エリアを３セクタよりも大きく設定すれば、より好適に且つ比較的容易にセクタＩＤを取得することができる。但し、ミドルエリア拡張用予約エリアを大きくすれば、それに伴ってＯＰＣパターンを記録するための記録エリアが小さくなってしまうため、ミドルエリア拡張用予約エリアはできるだけ小さい方が好ましい。【００９３】
また、上述の実施例では、記録媒体の一例として光ディスク１００及び記録再生装置の一例として光ディスク１００に係るレコーダ或いはプレーヤについて説明したが、本発明は、光ディスクのレコーダに限られるものではなく、他の高密度記録或いは高転送レート対応の各種記録媒体のレコーダにも適用可能である。【００９４】
本発明は、上述した実施例に限られるものではなく、請求の範囲及び明細書全体から読み取れる発明の要旨或いは思想に反しない範囲で適宜変更可能であり、そのような変更を伴う記録装置及び方法、並びに記録制御用のコンピュータプログラムもまた本発明の技術的範囲に含まれるものである。
【産業上の利用可能性】
【００９５】
本発明に係る記録装置及び記録方法、並びにコンピュータプログラムは、例えば、ＤＶＤ等の高密度光ディスクに利用可能であり、更にＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
0004390217.tif 000002
【図２】
0004390217.tif 000003
【図３】
0004390217.tif 000004
【図４】
0004390217.tif 000005
【図５】
0004390217.tif 000006
【図６】
0004390217.tif 000007
【図７】
0004390217.tif 000008
【図８】
0004390217.tif 000009
【図９】
0004390217.tif 000010